(57)【要約】【課題】  アイコンに関連付けられている設定項目の値をただちに確認することができるとともに、簡単な操作だけで設定項目の値を変更することができるようにする。【解決手段】プログラム２１は、コンピュータ１５を、表示装置１２にアイコンを表示させるアイコン表示処理部３１、表示装置１２に表示中のアイコンへの所定の操作を検出する操作検出部３２、操作検出部３２により所定の操作が検出されると、その操作のあったアイコンに関連付けられている設定項目の値を別の値に変更する設定変更処理部３３、および設定変更処理部３３による設定項目の値の変更に応じて、表示装置１２に表示中のアイコンのアイコン画像を、変更前の設定項目の値に対応するアイコン画像から変更後の設定項目の値に対応するアイコン画像へ切り替えるアイコン画像切替処理部３１として機能させる。【選択図】  図１
2010026796.tif 000002
【特許請求の範囲】
【請求項１】
コンピュータを、
所定の表示装置にアイコンを表示させるアイコン表示処理部、
前記所定の表示装置に表示されているアイコンへの所定の操作を検出する操作検出部、
前記操作検出部により所定の操作が検出されると、その操作のあったアイコンに関連付けられている設定項目の値を別の値に変更する設定変更処理部、および
前記設定変更処理部による設定項目の値の変更に応じて、前記所定の表示装置に表示されている前記アイコンのアイコン画像を、変更前の設定項目の値に対応するアイコン画像から変更後の設定項目の値に対応するアイコン画像へ切り替えるアイコン画像切替処理部、
として機能させるコンピュータプログラム。
【請求項２】
前記アイコンに関連付けられている前記設定項目の値は、所定の複数の値のいずれかであり、
前記設定変更処理部は、前記アイコンへの所定の操作が検出される度に、前記設定項目の値を、所定の順序に従って変更していき、前記所定の順序の最後の値の次に、前記所定の順序の最初の値に戻すこと、
を特徴とする請求項１記載のコンピュータプログラム。
【請求項３】
前記アイコン表示処理部は、所定のデータ格納装置に格納されている設定項目の値を参照し、その設定項目の値に対応するアイコン画像で前記アイコンを最初に前記所定の表示装置に表示させることを特徴とする請求項１記載のコンピュータプログラム。
【請求項４】
前記アイコン表示処理部は、前記所定の表示装置の１つの画面に、ある機能における複数の設定項目にそれぞれ関連付けられている複数のアイコンを表示させ、
前記操作検出部は、前記複数のアイコンのいずれか１つへの所定の操作を検出すること、
を特徴とする請求項１記載のコンピュータプログラム。
【請求項５】
前記アイコン表示処理部は、印刷機能における複数の設定項目にそれぞれ関連付けられている複数のアイコンを表示させることを特徴とする請求項１記載のコンピュータプログラム。
【請求項６】
前記コンピュータを、さらに、前記設定項目の値に基づいて周辺機器を制御する制御部として機能させ、
前記アイコン表示処理部は、前記周辺機器のある機能における複数の設定項目にそれぞれ関連付けられている複数のアイコンを表示させること、
を特徴とする請求項４記載のコンピュータプログラム。
【請求項７】
前記操作検出部は、前記所定の表示装置に表示されているアイコンへの所定の操作として、クリック操作を検出することを特徴とする請求項１記載のコンピュータプログラム。
【発明の詳細な説明】
【技術分野】
【０００１】
本発明は、コンピュータプログラムに関するものである。
【背景技術】
【０００２】
ある情報アイコンに並べて、その情報アイコンの操作が制限されているか否かを示す制限状態表示アイコンを表示するアイコンメニューがある（例えば、特許文献１参照）。
【０００３】
【特許文献１】特開平８−４４５２４号公報
【発明の開示】
【発明が解決しようとする課題】
【０００４】
しかしながら、上述のアイコンメニューでは、操作が制限されているか否かはわかるものの、ユーザが情報アイコンを見ても、情報アイコンに関連付けられている設定項目の値をただちに確認することはできない。
【０００５】
さらに、通常、あるアイコンに関連付けられている設定項目の値を入力する場合、そのアイコンをクリックすると、入力フィールドなどを有する画面が表示され、その画面上で設定項目の値を入力する。したがって、アイコンメニューがあったとしても、設定項目の値を変更する場合には、上述のように、種々のユーザ操作が必要となる。
【０００６】
本発明は、上記の問題に鑑みてなされたものであり、アイコンに関連付けられている設定項目の値をただちに確認することができるとともに、簡単な操作だけで設定項目の値を変更することができるコンピュータプログラムを得ることを目的とする。
【課題を解決するための手段】
【０００７】
上記の課題を解決するために、本発明では以下のようにした。
【０００８】
本発明に係るコンピュータプログラムは、コンピュータを、所定の表示装置にアイコンを表示させるアイコン表示処理部、所定の表示装置に表示されているアイコンへの所定の操作を検出する操作検出部、操作検出部により所定の操作が検出されると、その操作のあったアイコンに関連付けられている設定項目の値を別の値に変更する設定変更処理部、および設定変更処理部による設定項目の値の変更に応じて、所定の表示装置に表示されているアイコンのアイコン画像を、変更前の設定項目の値に対応するアイコン画像から変更後の設定項目の値に対応するアイコン画像へ切り替えるアイコン画像切替処理部として機能させる。
【０００９】
これにより、アイコンに関連付けられている設定項目の値をただちに確認することができるとともに、簡単な操作だけで設定項目の値を変更することができる。
【００１０】
また、本発明に係るコンピュータプログラムは、上記のコンピュータプログラムに加え、次のようにしてもよい。この場合、アイコンに関連付けられている設定項目の値は、所定の複数の値のいずれかであり、設定変更処理部は、アイコンへの所定の操作が検出される度に、設定項目の値を、所定の順序に従って変更していき、所定の順序の最後の値の次に、所定の順序の最初の値に戻す。
【００１１】
これにより、所定の操作を繰り返すことで、終わりなく、アイコン画像の切り替えを続けることができる。したがって、所定の操作を繰り返していくだけで、１度表示されたアイコン画像が再度表示されるため、設定項目の値を所望の値に設定することができる。
【００１２】
また、本発明に係るコンピュータプログラムは、上記のコンピュータプログラムのいずれかに加え、次のようにしてもよい。この場合、アイコン表示処理部は、所定のデータ格納装置に格納されている設定項目の値を参照し、その設定項目の値に対応するアイコン画像でアイコンを最初に所定の表示装置に表示させる。
【００１３】
また、本発明に係るコンピュータプログラムは、上記のコンピュータプログラムのいずれかに加え、次のようにしてもよい。この場合、アイコン表示処理部は、所定の表示装置の１つの画面に、ある機能における複数の設定項目にそれぞれ関連付けられている複数のアイコンを表示させ、操作検出部は、複数のアイコンのいずれか１つへの所定の操作を検出する。
【００１４】
これにより、同一画面上で、ある機能における複数の設定項目の値を、簡単な操作でまとめて設定することができる。
【００１５】
また、本発明に係るコンピュータプログラムは、上記のコンピュータプログラムのいずれかに加え、次のようにしてもよい。この場合、アイコン表示処理部は、印刷機能における複数の設定項目にそれぞれ関連付けられている複数のアイコンを表示させる。
【００１６】
これにより、印刷機能で頻繁に設定される複数の設定項目の値を、簡単な操作でまとめて設定することができる。
【００１７】
また、本発明に係るコンピュータプログラムは、上記のコンピュータプログラムのいずれかに加え、次のようにしてもよい。この場合、コンピュータを、さらに、設定項目の値に基づいて周辺機器を制御する制御部として機能させる。そして、アイコン表示処理部は、周辺機器のある機能における複数の設定項目にそれぞれ関連付けられている複数のアイコンを表示させる。
【００１８】
これにより、周辺機器のドライバにおいて設定可能な複数の設定項目の値を、簡単な操作でまとめて設定することができる。
【００１９】
また、本発明に係るコンピュータプログラムは、上記のコンピュータプログラムのいずれかに加え、次のようにしてもよい。この場合、操作検出部は、所定の表示装置に表示されているアイコンへの所定の操作として、クリック操作を検出する。
【００２０】
これにより、クリック操作という単純な操作を１または複数回行うのみで、設定項目の値を所望の値に設定することができる。
【発明の効果】
【００２１】
本発明によれば、アイコンに関連付けられている設定項目の値をただちに確認することができるとともに、簡単な操作だけで設定項目の値を変更することができる。
【発明を実施するための最良の形態】
【００２２】
以下、図に基づいて本発明の実施の形態を説明する。
【００２３】
図１は、本発明の実施の形態に係るドライバプログラムをインストールされた端末装置の構成を示すブロック図である。端末装置１は、例えばパーソナルコンピュータなどであり、端末装置１には、所定の通信路（周辺機器インタフェースケーブル、コンピュータネットワークなど）を介して画像形成装置２が接続されている。画像形成装置２は、印刷機能、画像読取機能およびファクシミリ送受信機能のうちの少なくとも１つを有する装置である。
【００２４】
端末装置１は、入力装置１１、表示装置１２、通信装置１３、データ格納装置１４およびコンピュータ１５を有する。
【００２５】
入力装置１１は、ユーザ操作を検出し電気信号として出力する装置である。入力装置１１としては、キーボード、マウス、タッチパネルなどが使用される。
【００２６】
表示装置１２は、電気信号を入力されその電気信号に応じた画像を画面に表示する装置である。表示装置１２としては、液晶ディスプレイなどが使用される。
【００２７】
通信装置１３は、所定の通信路を介して画像形成装置２などの周辺機器とデータ通信を行う装置である。通信装置１３としては、周辺機器インタフェース、ネットワークインタフェースカードなどが使用される。
【００２８】
データ格納装置１４は、データおよびプログラムを格納する装置である。この実施の形態では、データ格納装置１４は、ドライバプログラム２１、複数の設定項目の値を含む設定情報２２およびアイコン画像データ２３を格納している。データ格納装置１４としては、ハードディスクドライバ、不揮発性メモリなどが使用される。アイコン画像データ２３は、複数のアイコン画像の画像データであり、アイコン画像は、テキストおよび／またはイラストを含む画像である。
【００２９】
コンピュータ１５は、図示せぬＣＰＵ（Central Processing Unit）、ＲＡＭ（Random Access Memory）、ＲＯＭ（Read Only Memory）などを備え、プログラムをＲＡＭにロードし、ＣＰＵで実行することにより、各種処理部を実現する装置である。ドライバプログラム２１がコンピュータ１５で実行されることにより、アイコン表示処理部３１、クリック検出部３２、設定変更処理部３３および制御部３４が実現される。ドライバプログラム４１は、コンピュータプログラムの一例である。
【００３０】
アイコン表示処理部３１は、表示装置１２にアイコンを表示させる処理部であるとともに、設定変更処理部３３による設定項目の値の変更に応じて、表示装置１２に表示されているアイコンのアイコン画像を、変更前の設定項目の値に対応するアイコン画像から変更後の設定項目の値に対応するアイコン画像へ切り替える処理部である。
【００３１】
クリック検出部３２は、表示装置１２に表示されているアイコンへのクリック操作を検出する処理部である。
【００３２】
設定変更処理部３３は、クリック検出部３２により１回のクリック操作が検出されると、その操作のあったアイコンに関連付けられている設定項目の値を別の値に変更する処理部である。
【００３３】
制御部３４は、設定項目の値に基づいて画像形成装置２を制御する処理部である。
【００３４】
次に、上記装置の動作について説明する。図２は、本発明の実施の形態に係るドライバプログラムをインストールされた端末装置１の動作を説明するフローチャートである。
【００３５】
まず、アイコンメニューの初期画面を表示するときに、アイコン表示処理部３１は、設定情報２２をデータ格納装置１４から読み出し、所定の複数の設定項目に設定されている現在の値を特定する（ステップＳ１）。
【００３６】
そして、アイコン表示処理部３１は、複数の設定項目のそれぞれについての現在の値に対応するアイコン画像のアイコン画像データ２３をデータ格納装置１４から読み出し（ステップＳ２）、複数の設定項目のそれぞれについての現在の値に対応するアイコン画像をそれぞれ有する複数のアイコンを表示装置１２に表示させる（ステップＳ３）。これにより、アイコンメニューが表示される。このように、設定項目に設定されている現在の値に対応したアイコン画像のアイコンが表示されるため、ユーザは、設定項目について現在設定されている値をただちに視認することができる。
【００３７】
図３は、図１の端末装置１において表示される複数のアイコンの例を示す図である。図３に示すアイコンメニューは、あるウィンドウ４１内で１つのタブ画面５１で表示されている。このアイコンメニューには、４つのアイコン５２〜５５が含まれている。アイコン５２は、用紙向き設定のアイコンであり、アイコン５３は、部単位印刷設定のアイコンであり、アイコン５４は、ページ集約設定のアイコンであり、アイコン５５は、カラーモード設定のアイコンである。
【００３８】
用紙向き設定の値としては、「ポートレート」および「ランドスケープ」があり、「ポートレート」に対応するアイコン画像のアイコン画像データ２３および「ランドスケープ」に対応するアイコン画像のアイコン画像データ２３がデータ格納装置１４に格納されている。それらのアイコン画像のうちの１つが用紙向き設定の現在の値に応じて選択されアイコン５２に使用される。図３に示すアイコンメニューでは、アイコン５２に、「ポートレート」に対応するアイコン画像が使用されている。
【００３９】
部単位印刷設定の値としては、「ソート」および「コレート」があり、「ソート」に対応するアイコン画像のアイコン画像データ２３および「コレート」に対応するアイコン画像のアイコン画像データ２３がデータ格納装置１４に格納されている。それらのアイコン画像のうちの１つが部単位印刷設定の現在の値に応じて選択されアイコン５３に使用される。図３に示すアイコンメニューでは、アイコン５３に、「ソート」に対応するアイコン画像が使用されている。
【００４０】
ページ集約設定の値としては、「集約なし」、「２ＵＰ」および「４ＵＰ」があり、「集約なし」に対応するアイコン画像のアイコン画像データ２３、「２ＵＰ」に対応するアイコン画像のアイコン画像データ２３、および「４ＵＰ」に対応するアイコン画像のアイコン画像データ２３がデータ格納装置１４に格納されている。それらのアイコン画像のうちの１つがページ集約設定の現在の値に応じて選択されアイコン５４に使用される。図３に示すアイコンメニューでは、アイコン５４には、「集約なし」に対応するアイコン画像が使用されている。
【００４１】
カラーモード設定の値としては、「カラー」および「モノクロ」があり、「カラー」に対応するアイコン画像のアイコン画像データ２３、および「モノクロ」に対応するアイコン画像のアイコン画像データ２３がデータ格納装置１４に格納されている。それらのアイコン画像のうちの１つがカラーモード設定の現在の値に応じて選択されアイコン５５に使用される。図３に示すアイコンメニューでは、アイコン５５には、「カラー」に対応するアイコン画像が使用されている。なお、図３に示すアイコンメニューにおけるアイコン５５は、白黒で描かれているが、実際には複数の色を使用したアイコン画像とされる。このため、ユーザは、カラーモード設定の値として「カラー」が設定されていることをただちに視認することができる。
【００４２】
その後、ユーザが入力装置１１を操作して、アイコン５２〜５５のいずれかに対してクリック操作を行うと、クリック検出部３２は、入力装置１１からの信号に基づいて、その操作を検出する（ステップＳ４）。
【００４３】
クリック検出部３２によりクリック操作が検出されると、設定変更処理部３３は、クリックされたアイコンに関連付けられている設定項目の値を別の値に変更する（ステップＳ５）。例えば、図３に示すアイコン５２がクリックされた場合、アイコン５２に関連付けられている用紙向き設定の値が、「ポートレート」から「ランドスケープ」に変更される。したがって、ユーザは、設定項目の複数の値のリストから所望の値を選択する操作をしなくても、クリック操作だけで別の値を選択することができる。
【００４４】
さらに、クリック検出部３２によりクリック操作が検出されると、アイコン表示処理部３１は、設定変更処理部３３による設定項目の値の変更に応じて、その操作があったアイコンのアイコン画像を、変更前の設定項目の値に対応するアイコン画像から変更後の設定項目の値に対応するアイコン画像へ切り替える（ステップＳ６）。例えば、図３に示すアイコン５２がクリックされた場合、アイコン５２に関連付けられている用紙向き設定の値が「ポートレート」から「ランドスケープ」に変更されるため、アイコン５２のアイコン画像が、「ポートレート」のアイコン画像から、「ランドスケープ」のアイコン画像へ変更される。
【００４５】
このようにして、あるアイコンに対するクリック操作が検出されると、設定項目の値が変更され、それに伴ってアイコン画像も変更される。
【００４６】
この実施の形態では、クリック操作の検出で変更されていく設定項目の値の順序が予め設定されている。また、この実施の形態では、あるアイコンへの所定の操作が検出される度に、設定項目の値が、所定の順序に従って変更されていき、その所定の順序の最後の値の次に、所定の順序の最初の値に戻される。
【００４７】
図４は、図３における用紙向き設定のアイコン５２に使用される複数のアイコン画像およびそれらの表示順序の例を示す図である。用紙向き設定の値について「ポートレート」、「ランドスケープ」という順序が設定されている場合、用紙向き設定の値が、「ポートレート」、「ランドスケープ」、「ポートレート」、「ランドスケープ」、・・・という順番で変更される。このため、図４に示すように、アイコン５２のアイコン画像は、「ポートレート」のアイコン画像５２ａ、「ランドスケープ」のアイコン画像５２ｂ、「ポートレート」のアイコン画像５２ａ、「ランドスケープ」のアイコン画像５２ｂ、・・・という順番で切り替えられる。
【００４８】
図５は、図３における部単位印刷設定のアイコン５３に使用される複数のアイコン画像およびそれらの表示順序の例を示す図である。部単位設定の値について「ソート」、「コレート」という順序が設定されている場合、部単位設定の値が、「ソート」、「コレート」、「ソート」、「コレート」、・・・という順番で変更される。このため、図５に示すように、アイコン５３のアイコン画像は、「ソート」のアイコン画像５３ａ、「コレート」のアイコン画像５３ｂ、「ソート」のアイコン画像５３ａ、「コレート」のアイコン画像５３ｂ、・・・という順番で切り替えられる。
【００４９】
図６は、図３におけるページ集約設定のアイコン５４に使用される複数のアイコン画像およびそれらの表示順序の例を示す図である。ページ集約設定の値について「集約なし」、「２ＵＰ」、「４ＵＰ」という順序が設定されている場合、ページ集約設定の値が、「集約なし」、「２ＵＰ」、「４ＵＰ」、「集約なし」、「２ＵＰ」、「４ＵＰ」、・・・という順番で変更される。このため、図６に示すように、アイコン５４のアイコン画像は、「集約なし」のアイコン画像５４ａ、「２ＵＰ」のアイコン画像５４ｂ、「４ＵＰ」のアイコン画像５４ｃ、「集約なし」のアイコン画像５４ａ、「２ＵＰ」のアイコン画像５４ｂ、「４ＵＰ」のアイコン画像５４ｃ、・・・という順番で切り替えられる。
【００５０】
そして、上述のようにして設定項目の値が設定されている状態で、印刷要求が発生すると、制御部３４は、そのときの設定項目の値を応じた印刷データを生成し、通信装置１３を介して、画像形成装置２へ送信する。したがって、画像形成装置２では、印刷機能についての複数の設定項目について、上述のようにして設定された値を反映した印刷処理が実行される。
【００５１】
以上のように、上記実施の形態によれば、端末装置１において、コンピュータ１５がドライバプログラム１４を実行することで、アイコン表示処理部３１、クリック検出部３２、設定変更処理部３３および制御部３４が実現される。設定変更処理部３３は、クリック検出部３２によりクリック操作が検出されると、その操作のあったアイコンに関連付けられている設定項目の値を別の値に変更する。そして、アイコン表示処理部３１は、設定変更処理部３３による設定項目の値の変更に応じて、表示装置１２に表示されているアイコンのアイコン画像を、変更前の設定項目の値に対応するアイコン画像から変更後の設定項目の値に対応するアイコン画像へ切り替える。
【００５２】
これにより、アイコンに関連付けられている設定項目の値をただちに確認することができるとともに、簡単な操作だけで設定項目の値を変更することができる。
【００５３】
また、上記実施の形態によれば、アイコンに関連付けられている設定項目の値は、所定の複数の値のいずれかであり、設定変更処理部３３は、アイコンへのクリック操作が検出される度に、設定項目の値を、所定の順序に従って変更していき、所定の順序の最後の値の次に、所定の順序の最初の値に戻す。
【００５４】
これにより、クリック操作を繰り返すことで、終わりなく、アイコン画像の切り替えを続けることができる。したがって、クリック操作という同一の操作を繰り返していくだけで、１度表示されたアイコン画像が再度表示されるため、簡単な操作だけで、設定項目の値を所望の値に設定することができる。
【００５５】
また、上記実施の形態によれば、アイコン表示処理部３１は、表示装置１２の１つの画面に、印刷機能における複数の設定項目にそれぞれ関連付けられている複数のアイコン５２〜５５を表示させ、クリック検出部３２は、アイコン５２〜５５のいずれか１つへのクリック操作を検出する。
【００５６】
これにより、同一画面上で、ある機能における複数の設定項目の値を、簡単な操作でまとめて設定することができる。また、印刷機能で頻繁に設定される複数の設定項目の値を、簡単な操作でまとめて設定することができる。
【００５７】
また、上記実施の形態によれば、制御部３４は、設定項目の値に基づいて画像形成装置２を制御する。そして、アイコン表示処理部３１は、画像形成装置２のある機能における複数の設定項目にそれぞれ関連付けられている複数のアイコン５２〜５５を表示させる。
【００５８】
これにより、画像形成装置２のドライバにおいて設定可能な複数の設定項目の値を、簡単な操作でまとめて設定することができる。
【００５９】
なお、上述の実施の形態は、本発明の好適な例であるが、本発明は、これらに限定されるものではなく、本発明の要旨を逸脱しない範囲において、種々の変形、変更が可能である。
【００６０】
例えば、上記実施の形態において、設定項目の値の順序の最後になった後、その順序の最後から最初へ向かって値を変更させていくようにしてもよい。
【００６１】
また、上記実施の形態において、図３に示すアイコンメニューにおけるアイコンの数は４つであるが、４つに限定されるものではなく、１〜３個、５個以上のいずれかでもよい。また、設定項目の種類も、図３に示す場合のものに限定されるものではない。また、アイコンメニューに表示されるアイコンのうち、操作される頻度が低いものを、他の設定項目のアイコンに自動的に変更するようにしてもよい。
【００６２】
また、上記実施の形態においては１つの設定項目について２または３個の許容値があるが、１つの設定項目について４つ以上の許容値（つまり４種類以上のアイコン画像）があってもよい。
【００６３】
また、上記実施の形態において、アイコンへのクリックによりそのアイコンに関連付けられている設定項目の値が変更されたことに起因して、他のアイコンに関連付けられている設定項目の許容値のいずれかが選択できなくなった場合には、その許容値が、上述の設定項目の値の順序から除かれるようにしてもよい。
【００６４】
また、上記実施の形態において、設定項目の値を変更させる操作としてクリック操作が使用されているが、クリック操作はシングルクリックとしても、ダブルクリックとしてもよい。また、その操作として、各種マウスジェスチャー、各種フィンガージェスチャーなどを使用してもよい。
【００６５】
なお、上記実施の形態では、ある設定項目についての複数の許容値に対応して複数のアイコン画像が用意されている。そして、その複数のアイコン画像は、互いに異なる画像とされている。これにより、ユーザは、現在設定されている設定項目の値を、アイコン画像によりただちに視認することができる。
【産業上の利用可能性】
【００６６】
本発明は、例えば、周辺機器のドライバにおける設定項目の値の入力に適用可能である。
【図面の簡単な説明】
【００６７】
【図１】本発明の実施の形態に係るドライバプログラムをインストールされた端末装置の構成を示すブロック図である。
【図２】本発明の実施の形態に係るドライバプログラムをインストールされた端末装置の動作を説明するフローチャートである。
【図３】図１の端末装置において表示される複数のアイコンの例を示す図である。
【図４】図３における用紙向き設定のアイコンに使用される複数のアイコン画像およびそれらの表示順序の例を示す図である。
【図５】図３における部単位印刷設定のアイコンに使用される複数のアイコン画像およびそれらの表示順序の例を示す図である。
【図６】図３におけるページ集約設定のアイコンに使用される複数のアイコン画像およびそれらの表示順序の例を示す図である。
【符号の説明】
【００６８】
２  画像形成装置（周辺機器の一例）
１２  表示装置（表示装置の一例）
１４  データ格納装置（データ格納装置の一例）
１５  コンピュータ（コンピュータの一例）
２１  ドライバプログラム（コンピュータプログラムの一例）
３１  アイコン表示処理部（アイコン表示処理部の一例，アイコン画像切替処理部の一例）
３２  クリック検出部（操作検出部の一例）
３３  設定変更処理部（設定変更処理部の一例）
３４  制御部（制御部の一例）
５２〜５５  アイコン（アイコンの例）
５２ａ，５２ｂ，５３ａ，５３ｂ，５４ａ，５４ｂ，５４ｃ  アイコン画像（アイコン画像の例）
【図１】
2010026796.tif 000003
【図２】
2010026796.tif 000004
【図３】
2010026796.tif 000005
【図４】
2010026796.tif 000006
【図５】
2010026796.tif 000007
【図６】
2010026796.tif 000008